(57)【要約】      （修正有）【課題】高精度カウンタのような特別なハードウェアを用いる必要がなく、ＣＰＵに負担をかけない程度の軽いソフトウェア処理によって、光ディスクの記録面に目視可能な文字や図形等の画像を形成することが可能な光ディスク記録装置を提供する。【解決手段】光ディスクの所望の半径位置付近に目視可能な画像を形成する場合、この半径位置に位置する１つのセクタを基準セクタとし、この基準セクタを、目視可能な画像において定める１点の基準位置と対応させて、目視可能な画像におけるエッジ部分に相当する位置のセクタのセクタアドレスを、基準セクタのアドレスと半径位置の情報とセクタ長とトラックピッチとを用いて算出し、この算出したセクタのセクタアドレスに基づいてダミーデータを記録する。【選択図】図３
2009163796.tif 000002
【特許請求の範囲】
【請求項１】
光ディスクにレーザ光を照射することによって、前記光ディスクの記録面の記録トラックにデータを記録するとともに前記記録面に目視可能な画像を形成する光ディスク記録装置において、
所定物理長の記録単位毎に前記データの記録を行う記録手段と、
前記記録面の所望の半径位置付近に前記目視可能な画像を形成する場合、前記半径位置に位置する１つの前記記録単位を基準記録単位とし、この基準記録単位を、前記目視可能な画像内の任意の位置と対応させて、前記目視可能な画像に相当する領域内に位置する各記録単位のアドレスを、前記基準記録単位のアドレスと前記半径位置の情報と前記所定物理長の情報と前記記録トラックのトラックピッチの情報とを用いて算出する座標算出手段と、
を有し、
前記記録手段は、
前記記録面の所望の半径位置付近に前記目視可能な画像を形成する場合、前記座標算出手段で算出した前記目視可能な画像に相当する領域に位置する各記録単位のアドレスの情報にもとづいて、これら目視可能な画像に相当する領域に位置する各記録単位に任意のデータを記録する、
ことを特徴とする光ディスク記録装置。
【請求項２】
前記目視可能な画像に相当する領域の半径方向における所定範囲内の各記録トラックに、既にデータが記録されている場合は、前記座標算出手段で算出した前記目視可能な画像に相当する領域内に位置する各記録単位のアドレスの情報にもとづいて、これら目視可能な画像に相当する領域内に位置する各記録単位のデータを消去する消去手段、
を更に有することを特徴とする請求項１記載の光ディスク記録装置。
【請求項３】
光ディスクにレーザ光を照射することによって、前記光ディスクの記録面の記録トラックにデータを記録するとともに前記記録面に目視可能な画像を形成する光ディスク記録装置において、
所定物理長の記録単位毎に前記データの記録を行う記録手段と、
前記光ディスクが１回転する際の前記光ディスクの回転方向における位置を示す回転位置情報を出力する回転位置検出手段と、
前記光ディスクの１回転毎に、前記回転位置情報を読み込んで、この回転位置情報が変化する時点に再生した各データの前記記録単位のうち、前記目視可能な画像に相当する領域の半径方向における所定範囲内の各記録トラックにおいて、回転方向における位置が同一の記録単位をそれぞれ基準記録単位とし、これら各基準記録単位のアドレスを取得して記憶するアドレス取得手段と、
前記記録面の所定領域に前記目視可能な画像を形成する場合、前記目視可能な画像に相当する領域内に位置する各記録単位のアドレスを、前記各基準記録単位のアドレスと前記所定物理長の情報とを用いて各記録トラック毎に算出する座標算出手段と、
を有し、
前記記録手段は、
前記記録面の所定領域に前記目視可能な画像を形成する場合、前記座標算出手段で算出した前記目視可能な画像に相当する領域内に位置する各記録単位のアドレスの情報にもとづいて、これら目視可能な画像に相当する領域内に位置する各記録単位に任意のデータを記録する、
ことを特徴とする光ディスク記録装置。
【請求項４】
前記記録手段は、
前記記録面の所望の半径位置付近に前記目視可能な画像を形成する場合に、前記アドレス取得手段において前記各基準記録単位のアドレスが取得できない場合は、前記所定範囲内の各記録トラックに、予め任意のデータの記録を行う手段であり、
前記記録手段によって、前記任意のデータが記録された状態の光ディスクの前記記録面の所望の半径位置付近に前記目視可能な画像を形成する場合、前記アドレス取得手段と前記座標算出手段とを用いて得られた前記目視可能な画像に相当する領域内に位置する各記録単位のアドレスの情報にもとづいて、これら目視可能な画像に相当する領域内に位置する各記録単位のデータを消去する消去手段、
を更に有することを特徴とする請求項３記載の光ディスク記録装置。
【請求項５】
光ディスクにレーザ光を照射することによって、前記光ディスクの記録面の記録トラックにデータを記録するとともに前記記録面に目視可能な画像を形成する光ディスク記録方法において、
所定物理長の記録単位毎に前記データの記録を行う記録ステップと、
前記記録面の所望の半径位置付近に前記目視可能な画像を形成する場合、前記半径位置に位置する１つの前記記録単位を基準記録単位とし、この基準記録単位を、前記目視可能な画像内の任意の位置と対応させて、前記目視可能な画像に相当する領域内に位置する各記録単位のアドレスを、前記基準記録単位のアドレスと前記半径位置の情報と前記所定物理長の情報と前記記録トラックのトラックピッチの情報とを用いて算出する座標算出ステップと、
を含み、
前記記録ステップは、
前記記録面の所望の半径位置付近に前記目視可能な画像を形成する場合、前記座標算出ステップで算出した前記目視可能な画像に相当する領域に位置する各記録単位のアドレスの情報にもとづいて、これら目視可能な画像に相当する領域に位置する各記録単位に任意のデータを記録する、
ことを特徴とする光ディスク記録方法。
【請求項６】
前記目視可能な画像に相当する領域の半径方向における所定範囲内の各記録トラックに、既にデータが記録されている場合は、前記座標算出ステップで算出した前記目視可能な画像に相当する領域内に位置する各記録単位のアドレスの情報にもとづいて、これら目視可能な画像に相当する領域内に位置する各記録単位のデータを消去する消去ステップ、
を更に含むことを特徴とする請求項５記載の光ディスク記録方法。
【請求項７】
光ディスクにレーザ光を照射することによって、前記光ディスクの記録面の記録トラックにデータを記録するとともに前記記録面に目視可能な画像を形成する光ディスク記録方法において、
所定物理長の記録単位毎に前記データの記録を行う記録ステップと、
前記光ディスクが１回転する際の前記光ディスクの回転方向における位置を示す回転位置情報を出力する回転位置検出ステップと、
前記光ディスクの１回転毎に、前記回転位置情報を読み込んで、この回転位置情報が変化する時点に再生した各データの前記記録単位のうち、前記目視可能な画像に相当する領域の半径方向における所定範囲内の各記録トラックにおいて、回転方向における位置が同一の記録単位をそれぞれ基準記録単位とし、これら各基準記録単位のアドレスを取得して記憶するアドレス取得ステップと、
前記記録面の所定領域に前記目視可能な画像を形成する場合、前記目視可能な画像に相当する領域内に位置する各記録単位のアドレスを、前記各基準記録単位のアドレスと前記所定物理長の情報とを用いて各記録トラック毎に算出する座標算出ステップと、
を含み、
前記記録ステップは、
前記記録面の所定領域に前記目視可能な画像を形成する場合、前記座標算出ステップで算出した前記目視可能な画像に相当する領域内に位置する各記録単位のアドレスの情報にもとづいて、これら目視可能な画像に相当する領域内に位置する各記録単位に任意のデータを記録する、
ことを特徴とする光ディスク記録方法。
【請求項８】
前記記録ステップは、
前記記録面の所望の半径位置付近に前記目視可能な画像を形成する場合に、前記アドレス取得ステップにおいて前記各基準記録単位のアドレスが取得できない場合は、前記所定範囲内の各記録トラックに、予め任意のデータの記録を行うステップであり、
前記記録ステップによって、前記任意のデータが記録された状態の光ディスクの前記記録面の所望の半径位置付近に前記目視可能な画像を形成する場合、前記アドレス取得ステップと前記座標算出ステップとによって得られた前記目視可能な画像に相当する領域内に位置する各記録単位のアドレスの情報にもとづいて、これら目視可能な画像に相当する領域内に位置する各記録単位のデータを消去する消去ステップ、
を更に含むことを特徴とする請求項７記載の光ディスク記録方法。
【請求項９】
前記請求項１乃至８記載の何れか一項記載の光ディスク記録装置または光ディスク記録方法によって、前記記録面に目視可能な画像が形成された光ディスク。
【発明の詳細な説明】
【技術分野】
【０００１】
本発明は、記録可能な光ディスクの記録層へのレーザ照射によって、この光ディスク表面において目視可能な文字や図形等の画像を形成する機能を有する光ディスク記録装置、光ディスク記録方法、及びこれらの装置、方法で生成された光ディスクに関するものである。
【背景技術】
【０００２】
ＤＶＤ(Digital Versatile Disc)−ＲやＤＶＤ−ＲＷ等に代表される記録可能な光ディスク（以下単に光ディスクと呼ぶ）の普及に伴い、放送番組の映像音声信号等やビデオで撮影した映像音声信号等を、これらの光ディスクに記録して保存することが一般的に行われるようになった。
【０００３】
映像音声信号等（以下コンテンツと呼ぶ）を記録した光ディスクに、放送日時、番組名、撮影日時、撮影タイトル等、記録したコンテンツの内容を知らせるための情報（以下コンテンツ情報と呼ぶ）をラベル面等に目視可能な状態で記入してあると、利用者は、これらの光ディスクの管理が容易となる。
【０００４】
しかしながら、利用者は、コンテンツの記録はするものの、上記したようなコンテンツ情報をラベル面等へ記入する操作については、煩わしく感じ、結局この記入する操作をしないまま光ディスクを放置してしまう場合が多い。
【０００５】
このように、コンテンツが記録されているにもかかわらず、そのコンテンツの内容を知らせるためコンテンツ情報がラベル面等に書き込まれていない光ディスクが多くなると、利用者は、それらの光ディスクの管理が困難となってしまう。
【０００６】
上記問題を鑑みて、通常のデータ記録再生に用いるレーザを用いてコンテンツ情報を目視可能なように光ディスクの記録面に形成する従来技術が提案されている（例えば特許文献１、特許文献２等）。
【０００７】
これらの従来技術は、記録状態と未記録状態（もしくは消去状態）とで、記録層の反射率や色などが変化することを利用したものである。具体的には、記録や消去に用いるレーザ光の照射タイミングを、記録面における位置の情報に基づいて制御して、記録層の反射率や色を変化させることで、利用者が、コンテンツ情報に関する文字や図形等の画像を記録面（より正確には、記録層がある側の光ディスク表面であるが、説明の便宜上、以降は単に記録面と呼ぶ）において目視できるようにする技術である。
【特許文献１】特開２００４−３０８３６号公報
【特許文献２】特開２００６−６６０２４号公報
【発明の開示】
【発明が解決しようとする課題】
【０００８】
しかしながら、上記従来技術はいずれも、利用者がラベル面にコンテンツ情報を書き込む手間は省けるものの、依然として以下にあげる課題がある。
文字や図形等の画像を記録面に目視可能なように記録するには、その画像のエッジ部分の記録面における位置を算出しなければならない。
【０００９】
従来技術では、少なくとも１回転に１回出力されるパルス信号の位置を基準位置とし、この基準位置から、十分に短く設定された一定周期（換言すれば高周波数）のクロック信号をカウントすることで、基準位置からの距離を計測し、画像のエッジ部分の記録面における位置を算出している。
【００１０】
従って、光ディスク記録装置における通常の処理に加えて、この高周波数のクロック信号を精度よくカウントするための特別な処理が必要になる。この高周波数のクロック信号を精度よくカウントする処理は、その処理の性質上、常にクロック信号を監視していなければならないので、かなり負担の重い処理となる。この処理を、ＣＰＵ(Central Processing Unit)を用いたソフトウェアで実現しようとすると、全体の処理に対するこの処理の占有率が高くなるのでＣＰＵに負担がかかるという課題がある。この課題があると、通常行うべき処理に、動作遅延などの障害を発生させてしまう場合がある。
【００１１】
また、このＣＰＵに負担がかかる課題を回避するためには、高周波数のクロック信号を精度よくカウントするための特別なハードウエア（高精度カウンタ）が必要となるという別の課題が発生する。
【００１２】
本発明は、上記のような課題を鑑みてなされたものであり、高精度カウンタのような特別なハードウェアを用いる必要がなく、ＣＰＵに負担をかけない程度の軽いソフトウェア処理によって、光ディスクの記録面に目視可能な文字や図形等の画像を形成することが可能な、光ディスク記録装置、光ディスク記録方法、及びこれらの装置、方法で生成された光ディスクを提供することを目的とする。
【課題を解決するための手段】
【００１３】
そこで上記課題を解決するために本発明は、下記の装置、方法、光ディスクを提供するものである。
（１）光ディスクにレーザ光を照射することによって、前記光ディスクの記録面の記録トラックにデータを記録するとともに前記記録面に目視可能な画像を形成する光ディスク記録装置において、
所定物理長の記録単位毎に前記データの記録を行う記録手段と、
前記記録面の所望の半径位置付近に前記目視可能な画像を形成する場合、前記半径位置に位置する１つの前記記録単位を基準記録単位とし、この基準記録単位を、前記目視可能な画像内の任意の位置と対応させて、前記目視可能な画像に相当する領域内に位置する各記録単位のアドレスを、前記基準記録単位のアドレスと前記半径位置の情報と前記所定物理長の情報と前記記録トラックのトラックピッチの情報とを用いて算出する座標算出手段と、
を有し、
前記記録手段は、
前記記録面の所望の半径位置付近に前記目視可能な画像を形成する場合、前記座標算出手段で算出した前記目視可能な画像に相当する領域に位置する各記録単位のアドレスの情報にもとづいて、これら目視可能な画像に相当する領域に位置する各記録単位に任意のデータを記録する、
ことを特徴とする光ディスク記録装置。
（２）前記目視可能な画像に相当する領域の半径方向における所定範囲内の各記録トラックに、既にデータが記録されている場合は、前記座標算出手段で算出した前記目視可能な画像に相当する領域内に位置する各記録単位のアドレスの情報にもとづいて、これら目視可能な画像に相当する領域内に位置する各記録単位のデータを消去する消去手段、
を更に有することを特徴とする上記（１）記載の光ディスク記録装置。
（３）光ディスクにレーザ光を照射することによって、前記光ディスクの記録面の記録トラックにデータを記録するとともに前記記録面に目視可能な画像を形成する光ディスク記録装置において、
所定物理長の記録単位毎に前記データの記録を行う記録手段と、
前記光ディスクが１回転する際の前記光ディスクの回転方向における位置を示す回転位置情報を出力する回転位置検出手段と、
前記光ディスクの１回転毎に、前記回転位置情報を読み込んで、この回転位置情報が変化する時点に再生した各データの前記記録単位のうち、前記目視可能な画像に相当する領域の半径方向における所定範囲内の各記録トラックにおいて、回転方向における位置が同一の記録単位をそれぞれ基準記録単位とし、これら各基準記録単位のアドレスを取得して記憶するアドレス取得手段と、
前記記録面の所定領域に前記目視可能な画像を形成する場合、前記目視可能な画像に相当する領域内に位置する各記録単位のアドレスを、前記各基準記録単位のアドレスと前記所定物理長の情報とを用いて各記録トラック毎に算出する座標算出手段と、
を有し、
前記記録手段は、
前記記録面の所定領域に前記目視可能な画像を形成する場合、前記座標算出手段で算出した前記目視可能な画像に相当する領域内に位置する各記録単位のアドレスの情報にもとづいて、これら目視可能な画像に相当する領域内に位置する各記録単位に任意のデータを記録する、
ことを特徴とする光ディスク記録装置。
（４）前記記録手段は、
前記記録面の所望の半径位置付近に前記目視可能な画像を形成する場合に、前記アドレス取得手段において前記各基準記録単位のアドレスが取得できない場合は、前記所定範囲内の各記録トラックに、予め任意のデータの記録を行う手段であり、
前記記録手段によって、前記任意のデータが記録された状態の光ディスクの前記記録面の所望の半径位置付近に前記目視可能な画像を形成する場合、前記アドレス取得手段と前記座標算出手段とを用いて得られた前記目視可能な画像に相当する領域内に位置する各記録単位のアドレスの情報にもとづいて、これら目視可能な画像に相当する領域内に位置する各記録単位のデータを消去する消去手段、
を更に有することを特徴とする上記（３）記載の光ディスク記録装置。
（５）光ディスクにレーザ光を照射することによって、前記光ディスクの記録面の記録トラックにデータを記録するとともに前記記録面に目視可能な画像を形成する光ディスク記録方法において、
所定物理長の記録単位毎に前記データの記録を行う記録ステップと、
前記記録面の所望の半径位置付近に前記目視可能な画像を形成する場合、前記半径位置に位置する１つの前記記録単位を基準記録単位とし、この基準記録単位を、前記目視可能な画像内の任意の位置と対応させて、前記目視可能な画像に相当する領域内に位置する各記録単位のアドレスを、前記基準記録単位のアドレスと前記半径位置の情報と前記所定物理長の情報と前記記録トラックのトラックピッチの情報とを用いて算出する座標算出ステップと、
を含み、
前記記録ステップは、
前記記録面の所望の半径位置付近に前記目視可能な画像を形成する場合、前記座標算出ステップで算出した前記目視可能な画像に相当する領域に位置する各記録単位のアドレスの情報にもとづいて、これら目視可能な画像に相当する領域に位置する各記録単位に任意のデータを記録する、
ことを特徴とする光ディスク記録方法。
（６）前記目視可能な画像に相当する領域の半径方向における所定範囲内の各記録トラックに、既にデータが記録されている場合は、前記座標算出ステップで算出した前記目視可能な画像に相当する領域内に位置する各記録単位のアドレスの情報にもとづいて、これら目視可能な画像に相当する領域内に位置する各記録単位のデータを消去する消去ステップ、
を更に含むことを特徴とする上記（５）記載の光ディスク記録方法。
（７）光ディスクにレーザ光を照射することによって、前記光ディスクの記録面の記録トラックにデータを記録するとともに前記記録面に目視可能な画像を形成する光ディスク記録方法において、
所定物理長の記録単位毎に前記データの記録を行う記録ステップと、
前記光ディスクが１回転する際の前記光ディスクの回転方向における位置を示す回転位置情報を出力する回転位置検出ステップと、
前記光ディスクの１回転毎に、前記回転位置情報を読み込んで、この回転位置情報が変化する時点に再生した各データの前記記録単位のうち、前記目視可能な画像に相当する領域の半径方向における所定範囲内の各記録トラックにおいて、回転方向における位置が同一の記録単位をそれぞれ基準記録単位とし、これら各基準記録単位のアドレスを取得して記憶するアドレス取得ステップと、
前記記録面の所定領域に前記目視可能な画像を形成する場合、前記目視可能な画像に相当する領域内に位置する各記録単位のアドレスを、前記各基準記録単位のアドレスと前記所定物理長の情報とを用いて各記録トラック毎に算出する座標算出ステップと、
を含み、
前記記録ステップは、
前記記録面の所定領域に前記目視可能な画像を形成する場合、前記座標算出ステップで算出した前記目視可能な画像に相当する領域内に位置する各記録単位のアドレスの情報にもとづいて、これら目視可能な画像に相当する領域内に位置する各記録単位に任意のデータを記録する、
ことを特徴とする光ディスク記録方法。
（８）前記記録ステップは、
前記記録面の所望の半径位置付近に前記目視可能な画像を形成する場合に、前記アドレス取得ステップにおいて前記各基準記録単位のアドレスが取得できない場合は、前記所定範囲内の各記録トラックに、予め任意のデータの記録を行うステップであり、
前記記録ステップによって、前記任意のデータが記録された状態の光ディスクの前記記録面の所望の半径位置付近に前記目視可能な画像を形成する場合、前記アドレス取得ステップと前記座標算出ステップとによって得られた前記目視可能な画像に相当する領域内に位置する各記録単位のアドレスの情報にもとづいて、これら目視可能な画像に相当する領域内に位置する各記録単位のデータを消去する消去ステップ、
を更に含むことを特徴とする上記（７）記載の光ディスク記録方法。
（９）上記（１）〜（８）記載の何れか一つに記載の光ディスク記録装置または光ディスク記録方法によって、前記記録面に目視可能な画像が形成された光ディスク。
【発明の効果】
【００１４】
本発明によれば、高精度カウンタのような特別なハードウェアを用いる必要がなく、ＣＰＵに負担をかけない程度の軽いソフトウェア処理によって、光ディスクの記録面に目視可能な文字や図形等の画像を形成することが可能となる。
【発明を実施するための最良の形態】
【００１５】
［第１の実施形態］
以下、図面を参照して、本発明の第１の実施形態について説明する。
本第１の実施形態は、本発明の一態様を示すものであり、この発明を限定するものではなく、本発明の範囲内で任意に変更可能である。
＜全体構成＞
本第１の実施形態に係る光ディスク記録装置は、光ディスクの記録面にレーザ光を照射して、この記録面上において目視可能な文字や図形等の画像を形成する機能を有している。
図１は、この機能を有する光ディスク記録装置によって、文字列“２００７”を目視可能な画像として形成した光ディスクを模式的に示した図である。
【００１６】
図１（Ａ）は、記録面における外周付近の未記録もしくは消去済みの領域（白い領域）に対して、文字列“２００７”を黒色の目視可能な画像として形成するようにダミーデータを記録した場合の例である。また、図１（Ｂ）は、記録面における外周付近のダミーデータが記録された領域（黒い領域）に対して、文字列“２００７”を白色の目視可能な画像として形成するようにダミーデータを消去した場合の例である。
【００１７】
なお、図１では外周付近の領域に画像を形成したが、画像を形成する領域は外周付近に限定されるものではなく、記録面内であればどの位置の領域でも良い。
以下、本第１の実施形態に係る光ディスク記録装置の構成について説明する。
図２は、本第１の実施形態に係る光ディスク記録装置の構成を示すブロック図である。
【００１８】
光ディスク記録装置１００は、図２の破線で囲んだ光ディスクドライブ１０１とホストコンピュータ１４（以下単にホスト１４と呼ぶ）とで構成される。
光ディスクドライブ１０１のＣＰＵ１０は、ホストＩ／Ｆ９を介して、ホスト１４と接続されている。
【００１９】
ホスト１４は、データの記録、再生、消去、記録面への画像の形成等の動作をさせるための制御指示信号を、ホストＩ／Ｆ９を介してＣＰＵ１０に送信する。また、ホスト１４は、記録すべきデジタルデータをホストＩ／Ｆ９を介してバッファメモリに送信する一方、再生されてバッファメモリ８に一時蓄積されるデジタルデータをホストＩ／Ｆ９を介して受信する。
【００２０】
ＣＰＵ１０は、図２に示されている光ディスクドライブ１０１内の各構成ブロックと、図示しない制御線で接続されている。そして、ホスト１４から送信される、データの記録、再生、消去、記録面への画像の形成等の動作をさせるための各制御指示信号を受信した場合、これら各制御指示信号に対応した動作を各構成ブロックに実行させるために、各構成ブロックへ所定の制御信号を送信する。
【００２１】
光ディスク１は、スピンドルモータ２（以下単にスピンドル２と呼ぶ）の上部に備わるターンテーブル（図示せず）に装着される。
ピックアップ５は、ＣＰＵ１０から送信される制御信号と後述するストラテジ１３から供給される高速パルス信号とに基づいてレーザを駆動し、発光したレーザ光を光ディスク１へ照射することで、データの記録、再生、消去等を行う。
【００２２】
回転検出器３は、スピンドル２の回転に同期して、１回転につき等間隔で例えば１８個のＦＧ（Frequency Generator)パルスをＦＧカウンタ４へ出力する。
ＦＧカウンタ４は、回転検出器３から供給される１回転につき１８個発生するＦＧパルスを０から１７まで巡回カウントする。
【００２３】
なお、ここで述べた回転検出器３とＦＧカウンタ４とは、スピンドル２の回転制御で使用するものであり、特別なものではない。発明が解決しようとする課題欄で述べた特別なハードウェアである高精度カウンタとは異なるものである。
【００２４】
ＣＰＵ１０は、任意のタイミングで、ＦＧカウンタ４のカウント値を読み取ることで、スピンドル２（つまり光ディスク１）の一回転中の位置情報を取得し、この位置情報に基づいて、スピンドル２の回転制御を行う。
【００２５】
また、ＣＰＵ１０は、ピックアップ２を、パルスモータ（図示せず）などを用いて半径方向の所定の位置（半径位置）へ移動させる。なお、所定の半径位置へ移動させる際の半径位置情報は、例えばパルスモータを駆動するパルスの発生回数をカウントすることで取得する。パルスモータは、供給されるパルス毎に一定距離分回転するモータである。従って、ピックアップ２を一旦ディスクの内周方向の原点位置にセットした後、パルスモータに供給するパルスの発生回数をカウントすることで、原点位置からのピックアップ２の距離を取得し、この距離にディスク中心から原点位置までの距離を加算することで半径位置情報を算出できる。
【００２６】
ＲＦアンプ６は、レーザピックアップ５から供給される再生信号の電圧レベルを増幅してデコーダ７に供給する。
デコーダ７は、供給された再生信号をデジタルデータに復調するとともに、このデジタルデータをバッファメモリ８に一時蓄積する。
【００２７】
バッファメモリ８に一時蓄積されたデジタルデータは、ＣＰＵ１０の制御に従って、適切なタイミングで読み出され、ホストＩ／Ｆ９を介してホスト１４に供給される。
ホスト１４は、供給されるデジタルデータに所定の信号処理を施し、動画像信号や音声信号を生成する。
【００２８】
また、ホスト１４は、外部から供給されるか、またはホスト１４自身で生成したデジタルデータを光ディスク１へ記録する場合、このデジタルデータを、ホストＩ／Ｆ９を介してバッファメモリ１１へ供給する。なお、より具体的には、ホスト１４とＣＰＵ１０とがホストＩ／Ｆ９を介してお互いのタイミングを調整し、ＣＰＵ１０がデジタルデータをバッファメモリ１１に書き込むように制御する。なお、デジタルデータはＣＰＵ１０が生成しても良い。
【００２９】
エンコーダ１２は、バッファメモリ１１に一時記憶されたデジタルデータを読み込むとともに、この読み込んだデジタルデータを変調し、ストラテジ１３に供給する。
ストラテジ１３は、供給されたデジタルデータを、光ディスク１に記録するための高速パルス信号に変換し、ピックアップ５に供給する。
【００３０】
ピックアップ５は、供給される高速パルス信号に応じてレーザを駆動し、この駆動によってレーザが発するレーザ光を光ディスク１の記録面に照射することでデジタルデータを記録する。
【００３１】
＜画像の記録面への形成方法＞
次に、光ディスク１の記録面へ目視可能な文字や図形等の画像を形成する方法を説明する。
【００３２】
以下、目視可能な画像として“２００７”という文字列を形成する場合を例にして説明する。
ホスト１４は、目視可能な文字列“２００７”のうち最初の文字である“２”を形成させるための制御指示信号を、ホストＩ／Ｆ９を介してＣＰＵ１０に送信する。
【００３３】
指示信号のパラメータとしては、文字“２”を示すコード情報の他に、例えば、“大”“中”“小”などのサイズを示すサイズ情報、“外周”“中周”“内周”などの記録面に文字を形成する半径方向の位置を示す半径情報などを用いる。なお、これらのパラメータは一例であり、記録面の所定の位置に、所定の大きさの、所定の画像を形成できるパラメータであればどのようなものでも良い。例えば、文字サイズや半径情報として、サイズや半径の具体的な数値をパラメータとしても良い。
【００３４】
ＣＰＵ１０は、この制御指示信号を受信したならば、その制御指示信号のコード情報、サイズ情報、半径情報を用いて、文字“２”のエッジ部を、光ディスク１の記録面上に定める所定の座標系に当てはめる。
【００３５】
本第１の実施形態では、サイズ情報として“中”、半径情報として“外周”を受信した場合を例に説明する。ＣＰＵ１０は、サイズ情報“中”を受信したら、文字“２”のサイズを、予めサイズ情報“中”と対応付けている文字サイズである縦１５ｍｍ横１０ｍｍとする。また、半径情報“外周”を受信したら、上記文字サイズの左上端部の位置を、予め“外周”と対応付けている位置である半径５０ｍｍとする。
【００３６】
この所定の座標系は、光ディスク１の中心から放射状に伸びる半径方向（縦方向とする）と回転方向（横方向）とからなるが、基本的にはいずれもセクタドレスで管理する。セクタとは、データを記録面に記録する場合の最小の記録単位である。そして、セクタアドレスとは、このセクタを管理するためのアドレスであり、例えば、記録トラックが記録面にらせん状に１本形成される場合は、内周側の端から外周側の端（または外周側の端から内周側の端）に向かって、１セクタ毎に順次カウントアップする番号を割り当てる。また、記録トラックが記録面に同心円状に複数本形成される場合は、最内周または最外周のうちのいずれか一方の周の記録トラックの所定位置のセクタから順番に他方の周の記録トラックのセクタへ向かって値が順次カウントアップする番号を割りあてるか、または、１つの同心円の記録トラック内では、所定位置のセクタから順番に一周分、値が順次カウントアップする番号を割りあてる。なお、上記セクタやセクタアドレスは、光ディスクの種類（フォーマット）によって、予め光ディスクに記録されているものと、データの記録時に形成されるものとがある。
【００３７】
また、セクタの物理的な長さは、光ディスク１の種類（ＤＶＤ−ＲやＢｌｕ−Ｒay等）毎に、ほぼ一定である。
従って、ある任意の半径位置の記録トラックに存在する所定セクタに対して半径方向に隣接するセクタのセクタアドレス（ｓａｄｄ２）は、下記式１に示すように、半径位置（ｒ）から算出した回転長（２πｒ）をセクタ長（ｓｌ）で割った値を所定セクタのセクタアドレス（ｓａｄｄ１）に加算した値となる。
【００３８】
ｓａｄｄ２＝ｓａｄｄ１＋（２πｒ／ｓｌ）  ・・・式１
例えば、セクタ長ｓｌ＝０．５ｍｍ と決まっている光ディスク１において、半径ｒ＝５０ｍｍ の位置に、セクタアドレス＝１０００番地 の所定セクタが存在したとすると、その外周側の記録トラックにおいて上記所定セクタに隣接するセクタのセクタアドレスｓａｄｄ２は、
ｓａｄｄ２＝１０００＋（２×π×５０）／０．５≒１０００＋６２８＝１６２８
となり、外側の記録トラックにおいて隣接するセクタのセクタアドレスは１６２８番地と算出できる。
【００３９】
図３は、上記式１等を用いて、文字“２”のエッジ部分に該当するセクタのセクタアドレスを算出する例を示したものである。
これは、縦１５ｍｍ、横１０ｍｍのサイズの文字“２”を、セクタ長０．５ｍｍ、トラックピッチ０．５ｍｍで構成される光ディスク１の半径５０ｍｍの位置に形成する場合の例である。なお、実際の光ディスクとしては、セクタ長０．５ｍｍ、トラックピッチ０．５ｍｍというサイズはあり得ず、いずれもこれよりはるかに小さい数値となるが、説明の便宜上このサイズを用いる。
【００４０】
縦軸は半径方向を示しており、横軸は回転方向を示している。
縦軸は、上方が記録面の中心に近い方向であり、図３においては、記録トラックが、トラック１００、１０１、１０２、１０３の順番で外側に向かっていることを示している。
なお、実際には、記録トラックはこのように隣接トラック同士が密着しているわけではなく、記録トラックの間には、記録をしない領域（グルーブ）があるが、説明の便宜上、このような構成として示している。
【００４１】
横軸は、右側に向かってセクタを記録することを示しており、たとえばトラック１００においてはセクタアドレスが１０００番地、１００１番地、１００２番地、１００３番地というように値がインクリメントされて記録されていくことを示す。
【００４２】
図３において、文字“２”の左上方に位置する白丸で示したセクタのセクタアドレスを基準セクタアドレスとしてまず決定する。ここでは１０００番地とする。
この基準セクタアドレスを決めたあとは、文字“２”における全てのエッジ部分のセクタのセクタアドレスを決定できる。
【００４３】
たとえば、文字“２“の記録トラック１における左側の位置のエッジ部分から右側の位置のエッジ部分までのセクタ数は、横方向のサイズが１０ｍｍであり、セクタ長は０．５ｍｍであるから、横方向のサイズをセクタ長で割れば算出でき、
１０（ｍｍ）／０．５（ｍｍ）＝２０（セクタ）
となる。
【００４４】
従って、基準セクタのセクタアドレスを１０００番地とすると、右側の位置のエッジ部分のセクタのセクタアドレスは１０１９番地となる。
また、文字“２“の基準セクタの下側に位置する記録トラック２において、この基準セクタと隣接するセクタのセクタアドレスは、上記式１で算出したとおり、１６２８番地となる。
【００４５】
さらにこの１０６８番地のセクタに隣接するセクタのセクタアドレスは、半径を１トラックピッチ分の０．５ｍｍ増加させた５０．５ｍｍとして式１を用いて計算すると、
１６２８＋（２×π×５０．５）／０．５≒１６２８＋６３５＝２２６３番地
というように算出できる。
【００４６】
このような計算方法により、記録面の各記録トラック上における文字“２“のエッジ部分に該当するセクタのセクタアドレスを予め算出しておくことができる。
なお、上記では説明の便宜上基準セクタのセクタアドレスをいきなり１０００番地としたが、もちろんこのアドレスの値は実際には、光ディスク１の最内周の最初のセクタのセクタアドレスを初期値として上記式１を用いて順番に計算される値となる。
【００４７】
そして、記録の際には、算出した文字“２“のエッジ部分に該当するセクタのセクタアドレスに基づいて、例えば一定の短い周期で”１“と”０“とを繰り返すようなダミーデータを文字“２“に相当する領域に存在するセクタ全てに記録することで、目視可能な文字”２“を記録面上に形成することができる。
【００４８】
なお、セクタ及びアドレスは、予め光ディスクに記録されている場合と、データの記録の際に形成される場合とがある。後者の場合は、目視可能な文字”２“を形成する際の基準セクタ、及び文字“２“に相当する領域に存在する全セクタはダミーデータ記録時に形成されることになる。
【００４９】
このように、形成する文字や図形等の画像のエッジ部分に該当するセクタのセクタアドレスを算出し、この算出したセクタアドレスに基づいてダミーデータを記録する手法を用いることにより、高精度カウンタのような専用のハードウェアを用いる必要がなく、ＣＰＵに負担をかけない程度の軽いソフトウェアの処理によって、光ディスクの記録面に目視可能な画像を形成することが可能となる。
【００５０】
なお、セクタアドレスをその都度算出するのではなく、予めこれらのパラメータと相対セクタアドレスとを対応付けたテーブルを、ＲＯＭ等（図示せず）に記憶しておけば、さらにソフトウェアの処理を軽くすることができる。
【００５１】
また、上記では、基準セクタを各文字の左上端のエッジ部分のセクタとして説明したが、基準セクタは文字の範囲内のどの部分のセクタにしても良く、文字の左上端等のエッジ部分のセクタに限定するものではない。
【００５２】
さらには、ホスト１４側から直接全ての情報をパラメータとして供給する構成としても良い。
＜第１の実施形態の動作フロー＞
次に、本第１の実施形態の処理の流れを図５のフローチャートを用いて説明する。
【００５３】
処理を開始する（ステップＳ１０１）。
ＣＰＵ１０は、ホスト１４からホストＩ／Ｆ９を介して所定の画像を形成するための制御指示信号を受信したら、この制御指示信号のパラメータに基づいて、所定の画像を形成すべき記録面上の半径位置における所定の画像のエッジ部分のセクタのセクタアドレスをそれぞれ算出する（ステップＳ１０２）。なお、この処理は一つの画像毎に行っても良いし、何画像かまとめて行ってもよい。
【００５４】
次に、現在レーザを照射しているセクタのセクタアドレスに基づいて、次にダミーデータを記録すべきセクタのセクタアドレスを確認する（ステップＳ１０３）。
ステップＳ１０３で確認した情報に基づいて、セクタ単位でダミーデータの記録を行う（ステップＳ１０４）。
【００５５】
ステップＳ１０５では、対象画像に対応する全セクタ領域へのダミーデータの記録が終了したかどうかを判断する。
ステップＳ１０５の判断結果が終了であった場合は処理を終了する（ステップＳ１０７）。
【００５６】
ステップＳ１０５の判断結果が未終了であった場合は、セクタアドレスを更新して（ステップＳ１０６）、ステップＳ１０３へ処理を戻す。そして、このステップＳ１０３から処理を再開し、ステップＳ１０５において全セクタ領域へのダミーデータの記録が終了したと判断するまで、このステップＳ１０３からステップＳ１０６までの処理を繰り返す。
【００５７】
以上の処理を文字列“２００７”に施した結果を、図４に示す。
なお、この例では、各文字の範囲内の左上端のセクタを基準としたが、基準セクタは文字の範囲内のどの部分のセクタにしても良く、左上端のセクタに限定するものではない。
【００５８】
このようにして求めたセクタアドレスに基づき、未記録もしくは消去済部分に、セクタ単位でダミーデータを記録したものが図１（Ａ）に相当し、逆に、ダミーデータを記録済みの領域からセクタ単位で消去したものが図１（Ｂ）に相当する。
【００５９】
本第１の実施形態によれば、高精度カウンタのような特別なハードウェアを用いる必要がなく、ＣＰＵに負担をかけない程度の軽いソフトウェア処理によって、光ディスクの記録面に目視可能な文字や図形等の画像を形成することが可能となるという効果が得られる。
［第２の実施形態］
以下、図面を参照して、本発明の第２の実施形態について説明する。
【００６０】
本第２の実施形態は、本発明の一態様を示すものであり、この発明を限定するものではなく、本発明の範囲内で任意に変更可能である。
本第２の実施形態に係る光ディスク記録装置の構成は、図２に示した第１の実施形態の構成と同一であるので説明は省略する。
【００６１】
本第２の実施形態は、文字または図形等の画像の基準セクタを決定する処理が第１の実施形態と異なる。第１の実施形態における基準セクタは、一つの画像形成単位内で任意の１箇所を決定するのみであったのに対して、本第２の実施形態においては、基準セクタを、記録トラック毎に設けている点が第１の実施形態との相違である。
【００６２】
以下、第１の実施形態と相違する部分のみを説明する。
図６は、本第２の実施形態によって文字“２”のエッジ部分に該当するセクタのセクタアドレスを算出する例を示したものであり、第１の実施形態の図３に対応するものである。
【００６３】
本第２の実施形態では、文字や図形等の画像のエッジ部分のセクタのセクタアドレスは、各記録トラック内の所定の位置の基準セクタからのセクタ数で規定する。
図６において、各記録トラックの白丸のセクタを基準セクタとし、この基準セクタから、文字“２”のエッジ部分に該当するセクタまでのセクタ数を算出する。算出方法は、第１の実施形態の同一記録トラック内での算出方法と同様であり、基準セクタから横方向（記録トラック方向）の各エッジ部分までの距離をセクタ長で割ることで算出できる。
【００６４】
次に、各記録トラックにおける基準セクタの決定方法について説明する。
図２におけるＣＰＵ１０は、任意のタイミングで、ＦＧカウンタ４のカウント値を読み取ることが可能であるのでこれを利用する。
【００６５】
ＣＰＵ１０は、通常、レーザを照射している記録トラックにおけるセクタアドレスを把握している。従って、セクタ単位での割り込み等を利用し、この割り込みタイミングで、ＦＧカウンタ４のカウント値を逐次確認し、カウント値が変更する時点を検出する。そして、このカウント値の変更を検出した時点でレーザを照射しているセクタのセクタアドレスを記憶し、このセクタアドレスのセクタを基準セクタとする。通常の場合、ＦＧパルスのカウントアップ周期よりも、セクタ単位での割り込み周期の方が格段に短い周期であるので、正確にカウント値の変更する時点を検出することが出来る。
【００６６】
なお、この基準セクタのセクタアドレスは、記録トラックに実際に記録されているセクタのセクタアドレスであるので、第１の実施形態で説明した相対的なセクタアドレスと区別して以降の説明では絶対セクタアドレスと呼ぶこととする。
【００６７】
図８は、ＦＧカウンタが、回転検出器３から供給される１回転につき１８個発生するＦＧパルスを０から１７まで巡回カウントする際のカウント値の変化の様子を示した図である。
【００６８】
この図８において、カウント値が変化する各時点の絶対セクタアドレスを取得し、この取得した絶対セクタアドレスのセクタを基準セクタとする。
カウント値が変化する時点を図７で示すと、ディスクの中心から半径方向に伸びている点線が相当する。つまり、このカウント値が変化する時点の絶対セクタアドレスを各記録トラック毎に求め、この絶対セクタアドレスのセクタを基準セクタとして、この基準セクタに、上記で算出した文字や図形等の画像のエッジ部分の基準セクタからのセクタ数を加えたものが、各エッジ部分のセクタの絶対セクタアドレスとなる。基準セクタは、図７においては白丸を重ねた図形で表している。図面作成の都合上、この白丸の重なりが多少ずれているように見えるが、実際はこれらの重なりの向きは上記の点線の向きと一致している。また、実際には重なっているわけではなく、図６に示したように各トラック毎に１つずつ存在する基準セクタのイメージを示したものである。
【００６９】
このように各トラック毎に、基準セクタの絶対セクタアドレスと各エッジ部分のセクタの絶対セクタアドレスとを求めることにより、より正確に文字や図形等の画像を記録面上に形成することが可能となる。
＜第２の実施形態の動作フロー＞
次に、本第２の実施形態の処理の流れを図９のフローチャートを用いて説明する。
【００７０】
処理を開始する（ステップＳ２０１）。
ＣＰＵ１０は、ホスト１４からホストＩ／Ｆ９を介して所定の画像を形成するための制御指示信号を受信したら、まず、この所定の画像を形成すべき半径方向の所定領域を、制御指示信号のパラメータであるサイズ情報と半径情報とから算出し、この所定領域の再生を開始する。（ステップＳ２０２）。
【００７１】
ステップＳ２０３では、この所定領域範囲の最後まで再生が終了したか否かを判断する。
ステップＳ２０３での判断結果が未終了であった場合は、ステップＳ２０４へ処理を移行して、ＦＧカウント値を取得し、そのＦＧカウント値が変化する（インクリメントする）のをステップＳ２０５で検出する。ＦＧカウント値が変化しない場合は、処理をステップＳ２０３へ戻し、このステップＳ２０３からＳ２０５までの処理を繰り返す。
【００７２】
ステップＳ２０５で、ＦＧカウント値の変化を検出したら、その変化した時点で再生していたセクタの絶対セクタアドレスを取得し、記憶して、ステップＳ２０３へ処理を戻す。
【００７３】
以上の処理を所定領域全てに行うことで、所定領域内の各記録トラックにおけるＦＧカウント値の変化時点のセクタの絶対セクタアドレスを取得し記憶することができる。
ステップＳ２０３での判断結果が終了であった場合は、ステップＳ２０７へ処理を移行する。
【００７４】
ステップＳ２０７では、所定の画像を形成すべき記録面上の半径位置における所定の画像のエッジ部分のセクタのセクタアドレス（相対セクタアドレス）をそれぞれ算出する。
ステップＳ２０８では、ステップＳ２０７で算出した各エッジ部分の相対セクタアドレスとステップＳ２０６で取得したＦＧカウント値の変化時点のセクタの絶対セクタアドレスとから、各エッジ部分の絶対セクタアドレスを算出する。
【００７５】
ステップＳ２０８で算出した各エッジ部分の絶対セクタアドレスに基づいて、セクタアドレス指定によるダミーデータの記録を行う（ステップＳ２０９）。
ステップＳ２１０では、対象画像に対応する全セクタ領域へのダミーデータの記録が終了したかどうかを判断する。
【００７６】
ステップＳ２１０の判断結果が終了であった場合は処理を終了する（ステップＳ２１１）。
ステップＳ２１０の判断結果が未終了であった場合は、ステップＳ２０９へ処理を戻し、全セクタ領域へのダミーデータの記録が終了したと判断するまで、このステップＳ２０９、ステップＳ２１０の処理を繰り返す。
【００７７】
以上の処理を行うことにより、図１（Ａ）のような画像を形成できる。
なお、この例では、各文字の範囲内の各記録トラックの左端のセクタを基準セクタとしたが、基準セクタは各記録トラックの文字の範囲内のどの部分のセクタにしても良く、左端のセクタに限定するものではない。
【００７８】
本第２の実施形態によれば、第１の実施形態で得られる効果に加えて、光ディスクのメーカーの違いによるトラックピッチのばらつき等により、形成する文字の形がずれる場合がある点を改善することができるという効果が得られる。
【００７９】
また、１回転（１記録トラック）ごとに絶対セクタアドレスを取得するので、セクタアドレスが内周側から外周側（または外周側から内周側）に向かって順次カウントアップした番号が割り当てられないような規格の光ディスクにも対応できるという効果も得られる。
[第３の実施形態］
上記した第２の実施形態は、ダミーデータを所定セクタに記録することで目視可能な画像を得る方法であったが、光ディスクのフォーマットの種類によっては、未記録の状態ではセクタのセクタアドレスが得られないものがある。
【００８０】
本第３の実施形態によれば、上記のように未記録の状態ではセクタのセクタアドレスが得られないフォーマットの光ディスクでも目視可能な画像を得ることができる。
以下、この第３の実施形態について図１０のフローチャートを用いて説明する。
【００８１】
基本的な処理の流れは第２の実施形態と同様であり、同様の処理を行うステップには同一の符号を付し、そのステップの説明は省略する。
処理を開始した（ステップＳ２０１）後、ステップＳ２０１の処理を行う前に、前処理として、ステップＳ３０１を実行する。
【００８２】
ステップＳ３０１は、ＣＰＵが１０、ホスト１４からホストＩ／Ｆ９を介して所定の画像を形成するための制御指示信号を受信したら、まず、この所定の画像を形成すべき半径方向の所定領域を、制御指示信号のパラメータであるサイズ情報と半径情報とから算出し、この所定領域全面にダミーデータを記録する処理である。このダミーデータを記録することにより、セクタアドレスが所定領域全面に形成される。
【００８３】
そして、ステップＳ２０９の替わりにステップＳ３０９を実行する。ステップＳ２０９では所定のセクタにダミーデータを記録したが、本第３の実施形態では、ステップＳ３０１で所定領域全面にダミーデータを記録することによって形成されたセクタのうち所定セクタを消去する。
【００８４】
こうすることにより、未記録の状態ではセクタのセクタアドレスが得られない光ディスクフォーマットの場合でも目視可能な画像を得ることができる。
以上の処理を行うことにより、図１（Ｂ）のような画像を形成できる。
[第４の実施形態］
上記第３の実施形態で形成されるのは、図１の（Ｂ）のような画像であるが、本第４の実施形態によれば、未記録の状態ではセクタのセクタアドレスが得られない光ディスクフォーマットの場合でも、図１（Ａ）のような画像を形成することができる。
【００８５】
以下、この第３の実施形態について図１２のフローチャートを用いて説明する。
基本的な処理の流れは第３の実施形態と同様であり、同様の処理を行うステップには同一の符号を付し、そのステップの説明は省略する。
【００８６】
ステップＳ３０１によって、所定領域全面にダミーデータを記録して、ステップＳ２０３からステップＳ２０６の処理によって、所定領域内の各記録トラックにおけるＦＧカウント値の変化時点のセクタの絶対セクタアドレスを取得し記憶した後、ステップＳ４０１
を実行する。
【００８７】
このステップＳ４０１では、ステップＳ３０１によって所定領域全面に記録したダミーデータを消去する。
そして、ステップＳ３０９の替わりにステップＳ４０９を実行する。ステップＳ３０９では所定のセクタのダミーデータを消去したが、本第４の実施形態では、ステップＳ４０１で所定領域全面のダミーデータを消去した後、所定のセクタに再度ダミーデータを記録する。
【００８８】
こうすることにより、未記録の状態ではセクタのセクタアドレスが得られない光ディスクフォーマットの場合でも、図１（Ａ）のような画像を形成できる。
なお、第２〜第４の実施形態においては、回転検出器３から出力するＦＧパルスを、ＦＧカウンタ４を用いてカウントしたカウント値をＣＰＵ１０が読み込んで基準セクタを決定する方法を説明した。しかし、ＣＰＵ１０が、割り込み機能を持ち、かつ、処理に余裕があるような場合は、ＦＧカウンタ４を用いずにＣＰＵ１０が直接ＦＧパルスをカウントしても良い。
【００８９】
この場合は、図２の点線矢印のように、回転検出器３から出力するＦＧパルスをＣＰＵ１０の割り込みポートに供給する構成となる。
[応用例１］
次に、本発明の各実施形態を応用した応用例１を説明する。
【００９０】
近年は、ハイビジョン放送番組などのような大容量のコンテンツを記録したい場合が多くなっている。このとき、このコンテンツのデータ容量が１枚の光ディスクに記録可能な容量を超える場合は、光ディスクを複数枚に分けて記録しなければならない。
【００９１】
このような場合、記録した光ディスクの順番をラベル面等に記入する操作は、コンテンツ情報の記入と同様に、利用者にとって煩雑な操作である。
本応用例１は、このときの通し番号を示す画像を、上記各実施形態を用いて、光ディスクの記録面に目視可能な画像として形成する例である。
【００９２】
この応用例によって通し番号をつけた光ディスクの様子を図１２に示す。図１２は、コンテンツを３枚の光ディスクに分けて記録した場合の例である。コンテンツを記録した順番に、１、２、３という通し番号をつけている。
【００９３】
図１２（ａ）は、未記録または消去済の光ディスクにダミーデータを記録して文字もしくは図形等の画像を形成した例である。また、図１２（ｂ）はダミーデータが記録された領域に、文字もしくは図形を消去によって形成した例である。
【００９４】
通し番号は、数字に限らず、アルファベット等、連続性がわかるものであればどのような画像でも良いことは勿論である。
図１３は、この応用例１の動作をフローチャートで示したものである。
【００９５】
処理を開始する（ステップＳ５０１）。
最初に初期設定を行う（ステップＳ５０２）。
初期設定としては、光ディスクの容量とコンテンツの容量とによって算出した記録に必要な光ディスクの枚数（所定枚数）の設定や、通し番号の初期値の設定を行う。
【００９６】
次に、通し番号の意味する順番の値と所定枚数の値とを比較して、通し番号の意味する順番の値が所定枚数の値を超えたか否かを確認する（ステップＳ５０３）。
超えていない場合は、ローディング動作（ステップＳ５０４）によって新たな光ディスクを装着する。
【００９７】
装着した光ディスクにコンテンツを記録する（ステップＳ５０５）。
次に上記した各実施形態のうちいずれかを用いて、光ディスクの記録面に目視可能な通し番号を形成する（ステップＳ５０６）。
【００９８】
通し番号の形成が終了したら光ディスクをイジェクトする（ステップＳ５０７）。
そして、通し番号をインクリメントし、ステップＳ５０３へ処理を戻す（ステップＳ５０８）。
【００９９】
そして、上記ステップＳ５０３からステップＳ５０８の処理を繰り返し、ステップＳ５０３において通し場号が所定枚数を超えたら、ステップＳ５０９に移行して処理を終了する。
[応用例２］
次に、本発明の各実施形態を応用した応用例２を説明する。
【０１００】
近年は、コンテンツを、通信回線などを用いてサーバからダウンロードして記録することも可能となっている。
このとき、サーバがコンテンツをダウンロードされた回数をカウントしている場合がある。そして、このカウントした回数が、例えば「１００００回」とか「７７７７７回」とかという所謂「キリ番」と呼ばれる特別な値になったときにダウンロードして記録したコンテンツの場合、この「キリ番」をそのコンテンツを記録した光ディスクの記録面に目視可能な画像として形成できると、その光ディスクは利用者にとって、個人的に価値のあるものとなる。
【０１０１】
本応用例２は、上記のような「キリ番」などを含むサーバからのダウンロード回数を示す画像を、上記各実施形態を用いて、光ディスクの記録面に目視可能な画像として形成する例である。
【０１０２】
図１４は、本応用例２を実現するためのシステム構成例である。
サーバ２００は、通信回線等の伝送路２０１を通じてクライアントである光ディスク記録装置１００のホスト１４へ、所望のコンテンツをダウンロード（送信）するとともに、このコンテンツの内容を知らせるためのコンテンツ情報と、このコンテンツのダウンロード回数（送信回数）の情報も同時に送信する。
【０１０３】
ホスト１４は、サーバ２００から受信したコンテンツ、コンテンツ情報、送信回数の情報を、光ディスクドライブ１０１へ送信する。
光ディスクドライブ１０１は、受信したコンテンツを光ディスクに記録するとともに、コンテンツ情報と送信回数の情報とを、上記した各実施形態のうちいずれかを用いて、光ディスクの記録面に目視可能な画像として形成する。
【０１０４】
なお、以上の説明では、記録の単位としてセクタを用いたが、記録の単位はこれに限らない。物理的な長さが一定であり、かつ、形成する文字や図形等の画像に対して十分に小さい記録の単位であればどのようなものを用いても良い。
【０１０５】
また、光ディスクの種類によっては、記録時と再生時とでレーザ波長を異ならせた方
が記録再生性能が向上する場合がある。このような場合は、２つのレーザ波長を使い分
けて、文字や図形に陰影をつけることも可能である。
────────────────────────────────────────
【図面の簡単な説明】
【０１０６】
【図１】本願発明の一実施形態を用いて形成した目視可能な画像を示す図である。
【図２】本願発明の一実施形態の構成図である。
【図３】第１の実施形態によって画像を形成する際の座標を示す図である。
【図４】第１の実施形態を用いて形成する画像の基準セクタを示す図である。
【図５】第１の実施形態の動作手順を示すフローチャートである。
【図６】第２実施形態によって画像を形成する際の座標を示す図である。
【図７】第２の実施形態を用いて形成する画像の基準セクタを示す図である。
【図８】ＦＧカウンタの動作を示す図である。
【図９】第２の実施形態の動作手順を示すフローチャートである。
【図１０】第３の実施形態の動作手順を示すフローチャートである。
【図１１】第４の実施形態の動作手順を示すフローチャートである。
【図１２】応用例１を用いて形成した目視可能な画像を示す図である。
【図１３】応用例１の動作手順を示すフローチャートである。
【図１４】応用例２のシステム構成を示す図である。
【符号の説明】
【０１０７】
１  光ディスク
２  スピンドル
３  回転検出器
４  ＦＧカウンタ
５  ピックアップ
６  ＲＦアンプ
７  デコーダ
８  バッファメモリ
９  ホストＩ／Ｆ
１０  ＣＰＵ
１１  バッファメモリ
１２  エンコーダ
１３  ストラテジ
１４  ホスト
１００  光ディスク記録装置
１０１  光ディスクドライブ
２００  サーバ
２０１  伝送路
【図１】
2009163796.tif 000003
【図２】
2009163796.tif 000004
【図３】
2009163796.tif 000005
【図４】
2009163796.tif 000006
【図５】
2009163796.tif 000007
【図６】
2009163796.tif 000008
【図７】
2009163796.tif 000009
【図８】
2009163796.tif 000010
【図９】
2009163796.tif 000011
【図１０】
2009163796.tif 000012
【図１１】
2009163796.tif 000013
【図１２】
2009163796.tif 000014
【図１３】
2009163796.tif 000015
【図１４】
2009163796.tif 000016